(57)【要約】      （修正有）【課題】穴あけに使用する電動ドリル等に調整、固定が可能なレベルを取付けし穴あけ作業の加工角度についての、品質と作業効率の向上を図る。【解決手段】ドリル本体１の後方（チャックの反対側）にドリル回転軸と同じ方向に３６０度回転・固定が可能な架台３を取り付けし、その架台にドリル回転軸と常に垂直（Ｘ方向）を維持している水準器と、そのＸ方向水準器と直角に固定されたＹ方向水準器にて構成される。又、Ｙ方向水準器はＸ方向軸を中心に２７０度回転固定が可能となっており、この水準器を総称しＴレベルと記述する。Ｔレベルを要求される角度に調整、固定することにより、従来感覚で行っていた穴あけ作業の施工角度の確認がレベル水平を保つ事により維持出来るようになる。【選択図】図３
0003137639.tif 000002
【実用新案登録請求の範囲】
【請求項１】
電動ドリルやインパクトレンチ（ＡＣ１００Ｖ式又、充電携帯式等、以下本書類内に於いて電動ドリルと記述）本体に角度を自在に調整出来るレベル（水準器）を取り付けしたもので、被加工材となる木材や金属等の穴あけ加工やネジの締付け作業において、加工材に対して、要求される角度に電動ドリルを保つための補助部品。又はその部品を取付けした電動ドリル。
【考案の詳細な説明】
【技術分野】
【０００１】  本考案は、穴あけ作業において、被加工材に対して電動ドリルを要求される角度に保つための補助部品（角度を自在に調整出来るレベル）を取付けしたものである。
【背景技術】
【０００２】  電動ドリルを使用しての穴あけ作業の品質については大きく、穴をあける位置、穴の大きさ（直径）、深さ、方向と４点が上げられる。以上の品質の内、前記３点については、現行の方法で問題なく施工出来ていると思われる。
まず、穴をあける位置については、ドリルの使い方とは関係なく適正な墨付け（穴あけ箇所のマーキング）により解決される。次に、穴の大きさは非加工材に対応した種類で要求されるドリルビット径の選択により良質な加工が可能である。又、深さについては。ドリルビットへの明示か削進防止補助具により、達成できる。しかし、穴をあける方向については、従来から、感覚によって施工する場合がほとんどで、高い品質の垂直穴を要求される場合はドリルビットに水準器を直にあてて確認をする他、角度を固定して穴あけ作業を可能とするドリルスタンドなどの補助台を装着しての作業となっていた。
【考案の開示】
【考案が解決しようとする課題】
【０００３】  水平垂直又、その他の角度を問わず、手で持つ工具としての作業性を疎外する事なく穴あけ作業の施工精度（電気ドリルの加工角度の保持）と作業効率の向上を図る。
【課題を解決するための手段】
【０００４】  手で持つ工具とした中で、仕上がりに要求される穴を空ける方向（角度）について感覚ではなく、水準器を作業の延長で目視確認する事により、施工精度の向上を図る。
本考案は作業性の観点から、ドリル本体の後方（チャックの反対）にドリル回転軸と同じ方向に３６０度回転・固定が可能な架台を取り付けし、その架台にドリル回転軸と常に垂直（Ｘ方向）を維持している水準器と、そのＸ方向水準器と直角に固定されたＹ方向水準器にて構成される。
又、Ｙ方向水準器はＸ方向軸を中心に２７０度回転固定が可能となっており、本案件においてこの水準器を総称しＴレベルと記述する。［図１］
Ｔレベルについては、水準器の確認が必要でない作業の場合、回転架台に収まる形であり納めた場合、作業性においてＴレベル無いものと変わる事無く作業出来るものである。又、回転架台に収める事によりレベルの保護を考慮した形となる。［図２］
【考案の効果】
【０００５】  上述の様に、本考案のＴレベル付ドリルは角度を設定した水準器の確認により施工するため、穴を開けようとする加工面が平になっていない場合においても、水準器の確認により要求される角度を維持して連続した施工（穴あけ）が可能となる。
【考案を実施するための最良の形態】
【０００６】  Ｔレベルについては、前記した様に、安全、簡単に施工が出来、水準器が確認しやすい箇所としてドリル本体の後方（チャックの反対）側に取り付けするものとする。水準器の確認の他、現状の角度を次の加工穴に写しとる場合についても、片手でドリル本体もう片方の手でＴレベルの調整がしやすいものとなる。［図３］
【実施例】
【０００７】  以下、添付図面に従って一実施例を説明する。［図１］各メーカーより市場で販売されているドリル本体。図面では充電式ドリル本体に成型取付けされたパターンを記載。Ｔレベルを取り付けした図［図１・図２・図３］
【産業上の利用可能性】
【０００８】  先にも記した様に、大工をはじめとする、現場作業を手作業でドリルを使用して、進める水平や垂直の穴あけ作業の施工精度の向上。又、同じ角度で連続して穴あけ作業が必要な場合、要求されるドリルの角度が定まった段階でＴレベルを水平になるようにセットする。後は他の加工ポイントでドリルを回す前にレベルの水平を確認するだけで、初めのドリル角度を写しとる事が出来る。
又、作業位置が視点より高い場合も、Ｙ方向レベルを架台の外に出して（０度付近）使用する事によりドリルの施工角度を下から確認する事出来、より正確な作業が可能となる。この他、インパクトレンチを使用してのネジの締付けについても、ネジの芯とドライバービットの芯が一直線上になっていないと締付けトルクが加わった時に、ネジ頭よりドライバービットが外れる場合があるが、穴の角度を写しとることにより、ネジとドライバービットを一直線に保った状況を維持出来、効率的な施工が可能となる。
【図面の簡単な説明】
【０００９】
【図１】本考案のＴレベル付ドリルの実施例を示す、ドリルが充電式の場合を横から見た図である。
【図２】同ドリルを真後ろから見た図である。
【図３】同ドリルを使用してレベルの確認調整をしている、施工事例の図である。
【図４】視点より高い箇所での、施工事例の図である。
【符号の説明】
【００１０】▲１▼  ドリル本体
▲２▼  ビット取付け用チャック
▲３▼  回転架台。３６０度回転・固定が可能
▲４▼  Ｙ方向レベル（０度の状況）
▲５▼  Ｙ方向レベル（１８０度の状況。▲４▼▲５▼の状態でＹ方向レベルの気泡が中心にある場合、水平方向への施工となる。）
▲６▼  Ｙ方向レベル（９０度の状況）
▲７▼  Ｙ方向レベル（−９０度の状況。▲６▼▲７▼の状態でＹ方向Ｘ方向レベルの気泡が中心にある場合、水直方向への施工となる。）
▲８▼  Ｘ方向レベル
▲９▼  レベル固定用つまみ
▲１０▼  回転架台固定用バックル
【図１】
0003137639.tif 000003
【図２】
0003137639.tif 000004
【図３】
0003137639.tif 000005
【図４】
0003137639.tif 000006
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
ドリル本体の後方である、チャックの反対側にドリル回転軸と同じ方向に３６０度回転・固定が可能な取付け台を取り付けし、その取付け台にドリル回転軸と常に直角、Ｘ方向を維持している水準器と、そのＸ方向水準器と直角に固定されたＹ方向水準器にて構成される取付け台を装備し、被加工材に対し設定した施工角度を保持出来る事を特徴とした、携帯用ドリル
【請求項２】
ドリル本体の後方である、チャックの反対側に取付けする補助部材で、ドリル回転軸と同じ方向に３６０度回転・固定が可能な取付け台であって、その取付け台にドリル回転軸と常に直角、Ｘ方向を維持している水準器と、そのＸ方向水準器と直角に固定されたＹ方向水準器にて構成され、被加工材に対し設定した施工角度を保持出来る事を特徴とした、携帯用ドリル用の補助部材。